(57)【要約】【目的】屎渣処理装置に処理用水の供給の自動化、低コスト化。【構成】汚水は通過させて汚水と夾雑物とを分離する所定目巾に複数並設したスクリーンバー３と、該スクリーンバー３に付着した夾雑物を下から上に掻き上げ移動して除去する櫛歯５とを有し、流水路またはタンク２内に後側に至るに従い高くなるように傾斜させて設けた自動スクリーン１において、前記櫛歯５は左右一対の側部フレーム６に設けた無端チエン１１に前記スクリーンバー３より外側に向かって突出するように設け、前記無端チエン１１の内側には無端チエン１１の回転上昇時に上側が流入口２８に開口した汲み上げ体２７を設け、該汲み上げ体２７は無端チエン１１が戻り側から掻き上げ側に反転するところで前記スクリーンバー３を通過した水を汲み上げ、前記スクリーンバー３の上部で反転する際に屎渣が排出される方向と同じ方向に汲みあげた水を放出するように構成した洗浄水自動供給スクリーン。【選択図】　　図１
2004033983.tif 000002
【特許請求の範囲】
【請求項１】
汚水は通過させて汚水と夾雑物とを分離する所定目巾に複数並設したスクリーンバー３と、該スクリーンバー３に付着した夾雑物を下から上に掻き上げ移動して除去する櫛歯５とを有し、流水路またはタンク２内に後側に至るに従い高くなるように傾斜させて設けた自動スクリーン１において、前記櫛歯５は左右一対の側部フレーム６に設けた無端チエン１１に前記スクリーンバー３より外側に向かって突出するように設け、前記無端チエン１１の内側には無端チエン１１の回転上昇時に上側が流入口２８に開口した汲み上げ体２７を設け、該汲み上げ体２７は無端チエン１１が戻り側から掻き上げ側に反転するところで前記スクリーンバー３を通過した水を汲み上げ、前記スクリーンバー３の上部で反転する際に屎渣が排出される方向と同じ方向に汲みあげた水を放出するように構成した洗浄水自動供給スクリーン。
【発明の詳細な説明】
【０００１】
【産業上の利用分野】
本発明は、洗浄水自動供給スクリーンに関するものであり、特に、下水等の汚水中の夾雑物を除去する自動スクリーンにおいて、自動スクリーンにより掻き上げられた「屎渣」に含まれる汚泥・汚物分を処理する屎渣処理装置に必要とされる洗浄水を自動的に供給することのできるようにした洗浄水自動供給スクリーンに係るものである。
【０００２】
【従来技術】
従来、汚水流路中に、汚水は通過させ汚水中の夾雑物は斜め上方に掻き揚げて除去する自動スクリーンを設け、自動スクリーンの終端に掻き上げられた屎渣に含まれる汚泥・汚物分（以下、汚物という）の脱水処理をする屎渣処理装置の上端を接続した構成は、公知である。
また、屎渣処理装置に処理を促進させるために処理用水を供給するようにしたものも公知である。
即ち、自動スクリーンの櫛歯により掻き上げられる屎渣には、ある程度水溶性の高い汚泥・汚物が含まれることは避けられず、これを衛生的に処理・処分するには十分に洗浄して水に溶ける物は溶解させてから処理すると、処理効率が向上するのである。
【０００３】
【発明が解決しようとする課題】
前記公知例では、水溶性の汚物分を除去するのに、水道水や井戸水あるいは下水処理水を使用するので、何れの水も調達コストが掛かり、しかも、屎渣処理装置に供給するための配管設備が必要となって、相当にコストが高くなるという課題がある。
しかし、工夫すると、殆どコストを掛けずに屎渣処理装置に処理用水を供給できるようになり、本願は屎渣処理装置に処理用水を供給する機能を有する洗浄水自動供給スクリーンを提供するものである。
【０００４】
【発明の目的】
屎渣処理装置に対する処理用水の供給自動化、低コスト化。
【０００５】
【課題を解決するための手段】
よって、本発明は、汚水は通過させて汚水と夾雑物とを分離する所定目巾に複数並設したスクリーンバー３と、該スクリーンバー３に付着した夾雑物を下から上に掻き上げ移動して除去する櫛歯５とを有し、流水路またはタンク２内に後側に至るに従い高くなるように傾斜させて設けた自動スクリーン１において、前記櫛歯５は左右一対の側部フレーム６に設けた無端チエン１１に前記スクリーンバー３より外側に向かって突出するように設け、前記無端チエン１１の内側には無端チエン１１の回転上昇時に上側が流入口２８に開口した汲み上げ体２７を設け、該汲み上げ体２７は無端チエン１１が戻り側から掻き上げ側に反転するところで前記スクリーンバー３を通過した水を汲み上げ、前記スクリーンバー３の上部で反転する際に屎渣が排出される方向と同じ方向に汲みあげた水を放出するように構成した洗浄水自動供給スクリーンとしたものである。
【０００６】
【実施例】
本発明の実施例を図面により説明すると、１は流水路またはタンク２内に設けた自動スクリーンであり、水と夾雑物とを分離するものである。自動スクリーン１の構成は任意であるが、少なくとも、水は通過させるが夾雑物は通過させずに捕捉する所定目巾に複数並設したスクリーンバー３により構成するスクリーン部４と、前記スクリーンバー３の間を下から上に移動してスクリーンバー３に捕捉された夾雑物を掻き上げて除去する櫛歯５を有していればよい。
【０００７】
一例を示すと、流水路に４５度〜６０度に後側に至るに従い高くなるように傾斜させた左右一対の側部フレーム６を設け、該側部フレーム６は左右に所定間隔おいて位置させ、各側部フレーム６には駆動軸７と受動軸８とを上下に軸装し、前記駆動軸７には左右一対の駆動歯車９を前記受動軸８には左右一対の受動歯車１０を夫々固定し、左右の駆動歯車９と受動歯車１０には無端チエン１１を夫々掛け回す。左右の無端チエン１１には左右方向のアタッチメント１２を所定間隔をおいて複数取付け、各アタッチメント１２にはスクリーンバー３より外側（前側）に向かって突出するように前記櫛歯５の基部を固定する。１３はモータである。
【０００８】
前記櫛歯５の前側にはスクリーン部４のスクリーンバー３を位置させ、スクリーンバー３は任意の手段により前記側部フレーム６に取付け、隣接するスクリーンバー３の間の隙間１４より前記各櫛歯５の先端を前側に突出させ、櫛歯５は突出した状態で下から上に移動し、スクリーンバー３に捕捉された夾雑物を掻き上げるように構成する。１５はアタッチメント１２に設けた受体であり、スクリーンバー３の内側（裏側）面に摺接して無端チエン１１の移動を案内する。１６は無端チエン１１の案内レールである。
【０００９】
前記スクリーンバー３の上部は、前記駆動軸７の上方で逆Ｕ型形状に屈曲させて反転案内部２０に形成し、反転案内部２０は前記櫛歯５の移動軌跡に対して徐々に外側に位置するように配置することにより、櫛歯５は反転案内部２０の終点で反転案内部２０より屎渣を残して引っ込んで、櫛歯５が屎渣が付着しまま下降するのを防止している。
【００１０】
前記反転案内部２０の下方には掻き上げられた屎渣に含まれる汚物を脱水処理する屎渣処理装置２１のホッパー２２を位置させる。ホッパー２２の下方には一対のスクリュウ２３を設けた脱水部２４に形成し、脱水部２４は一方が高く他方を低く傾斜させ、脱水部２４の高い側には屎渣排出部を形成し、低い側の脱水部２４は排水管２５に接続する。
【００１１】
しかして、前記無端チエン１１の回転方向の内側には所定間隔をおいて汚水を汲み上げる汲み上げ体２７を複数設ける。汲み上げ体２７は無端チエン１１の回転上昇時において上側を流入口２８に開口した箱体２９に形成し、箱体２９の左右両側を櫛歯５と反対側面の前記アタッチメント１２に取付ける。汲み上げ体２７は、無端チエン１１の内側を無端チエン１１と共に移動し、無端チエン１１が戻り側から掻き上げ側に反転するところで前記スクリーン部４を通過した水を汲み上げ、前記反転案内部２０で反転する際に屎渣が排出される方向と同じ方向に汲みあげた水を放出する。
【００１２】
したがって、汲み上げ体２７は無端チエン１１の回転方向の内周側に設けられるので、上昇側の無端チエン１１と下降側の無端チエン１１の間であって、自動スクリーン１の上下２か所の駆動歯車９と受動歯車１０の部分で反転するのに支障がない大きさ（深さ）を有するように構成する。
【００１３】
この場合、汲み上げ体２７は、アタッチメント１２に着脱自在に取付けると、掻き上げられた屎渣の性状と量に対して必要十分な水量を汲み上げるために、その容量と数とを調整することが容易にでき、好適である。
また、汲み上げ体２７は、櫛歯５の手前側に、櫛歯５が反転案内部２０で反転中に水を放出するように設けると（図１、図８）、櫛歯５の洗浄を効率的に行えて、好適である。
【００１４】
なお、実施例では、自動スクリーン１の終端に屎渣処理装置２１を設け、屎渣処理装置２１はホッパー２２と脱水部２４を有しているが、屎渣籠やコンベヤーあるいは流水トラフなどを設けてもよく、これらに汲み上げ体２７から必要とされる洗浄水を供給してもよい。
図中、３０は排水口、３１は自動スクリーン１の上部に設けた屎渣の落下を誘導する誘導樋兼カバー、３２は下水管である。
【００１５】
【作用】
次に作用を述べる。
流水路またはタンク２に流入した下水のうち水は、スクリーン部４のスクリーンバー３の間の隙間１４を通過し、自動スクリーン１の排水口３０から排水され、下水のうち夾雑物はスクリーン部４を通過せずにスクリーン部４の前面に付着したように捕捉される。
【００１６】
この状態で、駆動軸７をモータにより回転させると、無端チエン１１が回転し、無端チエン１１に取付けられているアタッチメント１２が前記スクリーンバー３の背面側で下から上に移動する。
【００１７】
アタッチメント１２には櫛歯５の基部を固定し、櫛歯５の先端はスクリーンバー３より外側（前側）に向かって突出しているから、スクリーン部４の前面に付着したように捕捉された夾雑物は櫛歯５により掻き上げられ、反転案内部２０で反転して下方の屎渣処理装置２１のホッパー２２内に落下し、次いで脱水部２４により脱水されて処理される。
【００１８】
この場合、自動スクリーン１の櫛歯５により掻き上げられる屎渣には、ある程度水溶性の高い汚泥・汚物が含まれることは避けられず、これを衛生的に処理・処分するには十分に洗浄して水に溶ける物は溶解させてから処理すると、処理効率が向上し、このため、屎渣処理装置２１の処理に際して洗浄水が必須であるが、この洗浄水の供給に従来は相当にコストが掛かっていた。
【００１９】
本願では、無端チエン１１の回転方向の内側に所定間隔をおいて汚水を汲み上げうる汲み上げ体２７を複数設けているから、汲み上げ体２７は無端チエン１１が戻り側から掻き上げ側に反転するところでスクリーン部４を通過した水を汲み上げ、反転案内部２０で反転する際に屎渣が排出される方向と同じ方向に汲みあげた水を放出し、汲みあげた水は屎渣処理装置２１の処理用水として供給される。
【００２０】
即ち、流水路またはタンク２内に後側に至るに従い高くなるように傾斜させてスクリーン部４を設けているので、反転案内部２０の下方に屎渣処理装置２１を位置させれば、屎渣と汲みあげた処理用水は屎渣が排出される方向と同じ方向に放出されて屎渣処理装置２１に供給でき、合理的な構成となる。
【００２１】
したがって、水道水や、汚水処理後の処理水を別の動力と配管設備及び自動運転電気操作回路を用いて供給することなく、自動スクリーン１の櫛歯５を作動させる同一駆動源により処理用水を屎渣処理装置２１に供給する。
【００２２】
しかも、自動スクリーン１の櫛歯５による屎渣の掻き上げと同期して洗浄水の供給が自動的に開始され、掻き上げが停止すると停止し、一々操作する必要がなく、自動スクリーン１の櫛歯５の作動を制御する制御機構をそのまま利用でき、制御も簡素にできる。
【００２３】
前記の場合、汲み上げ体２７はスクリーンバー３の後側で反転して水を汲み上げるから、用途に応じて必要な目巾でスクリーンニングされた汚水であり、屎渣処理装置２１に供給された汚泥・汚物分を洗い流すのには十分な効力を発揮する。
【００２４】
また、汲み上げ体２７はスクリーン部４の上部で反転するときに、汲み上げ体２７ないの水を重力落下させるから、汲み上げられて放出される水は、スクリーン部４のスクリーンバー３の上端付近の屎渣の払い落としや、櫛歯５の洗浄の効果も期待でき、自動スクリーン１の洗浄にも作用する。
【００２５】
また、汲み上げ体２７は無端チエン１１の回転方向の内周側に設けられるので、上昇側の無端チエン１１と下降側の無端チエン１１の間であって、自動スクリーン１の上下２か所の駆動歯車９と受動歯車１０の部分で反転するのに支障がない大きさ（深さ）を有するように構成しているから、自動スクリーン１内に内蔵されることになり、運搬、設置、管理等を容易にする。
【００２６】
【効果】
本発明は、汚水は通過させて汚水と夾雑物とを分離する所定目巾に複数並設したスクリーンバー３と、該スクリーンバー３に付着した夾雑物を下から上に掻き上げ移動して除去する櫛歯５とを有し、流水路またはタンク２内に後側に至るに従い高くなるように傾斜させて設けた自動スクリーン１において、前記櫛歯５は左右一対の側部フレーム６に設けた無端チエン１１に前記スクリーンバー３より外側に向かって突出するように設け、前記無端チエン１１の内側には無端チエン１１の回転上昇時に上側が流入口２８に開口した汲み上げ体２７を設け、該汲み上げ体２７は無端チエン１１が戻り側から掻き上げ側に反転するところで前記スクリーンバー３を通過した水を汲み上げ、前記スクリーンバー３の上部で反転する際に屎渣が排出される方向と同じ方向に汲みあげた水を放出するように構成した洗浄水自動供給スクリーンとしたものであるから、自動スクリーン１によりこれの下手側に配置した処理装置に十分な処理用水を供給でき、しかも、自動スクリーン１の動力を利用するので、別の動力と配管設備及び自動運転電気操作回路等が不要になって、殆どコストを掛けずに処理用水の供給を実現でき、また、自動スクリーン１通過後の汚水でありながら、用途に応じて必要な目巾でスクリーンニングされたものであるので掻き上げられた汚泥・汚物分を洗い流すのに十分な効力を有し、汚水の有効利用が図れ、また、汲み上げ体の容量と数を調整することにより、供給量の調節も容易になり、また、汲み上げ体２７により汲み上げて放出される水は、自動スクリーン１の自体の屎渣の払いおとしや櫛歯の洗浄の作用も期待できるという効果を奏する。
【図面の簡単な説明】
【図１】概略側面図。
【図２】同正面図。
【図３】概略側面図。
【図４】上昇する汲み上げ体部分の横断平面概略図。
【図５】汲み上げ体部分の平面図。
【図６】受体に汲み上げ体を設けた平面図。
【図７】汲み上げ体の斜視図。
【図８】汲み上げ体部分の側面図。
【符号の説明】
１…自動スクリーン、３…スクリーンバー、４…スクリーン部、５…櫛歯、６…側部フレーム、７…駆動軸、８…受動軸、９…駆動歯車、１０…受動歯車、１１…無端チエン、１２…アタッチメント、１４…隙間、２０…反転案内部、２１…屎渣処理装置、２２…ホッパー、２３…スクリュウ、２４…脱水部、２５…排水管、２７…汲み上げ体、２８…流入口、２９…箱体。
【図１】
2004033983.tif 000003
【図２】
2004033983.tif 000004
【図３】
2004033983.tif 000005
【図４】
2004033983.tif 000006
【図５】
2004033983.tif 000007
【図６】
2004033983.tif 000008
【図７】
2004033983.tif 000009
【図８】
2004033983.tif 000010